(57)【特許請求の範囲】
【請求項１】
折り畳み自在に構成されたベース部材（２）と、
前記ベース部材（２）の身体の挿入方向と直交する方向の両側端部に着脱自在に取り付けて、前記ベース部材（２）の上方をカバーするカバー部材（３）と、
前記ベース部材（２）の身体の挿入方向奥側の端部と前記カバー部材（３）の身体の挿入方向奥側の端部とに着脱自在に取り付けて、前記ベース部材（２）とカバー部材（３）との間に形成される身体の挿入方向奥側の開口を塞ぐ閉鎖部材（４）と、を備えた組立式サウナ（１）であって、
前記カバー部材（３）とベース部材（２）との連結部において、前記ベース部材（２）の下面に下側面接合ファスナ（５）を上向きに取り付け、
前記ベース部材（２）と下側面接合ファスナ（５）との間に被挿入部（７）を設け、
前記カバー部材（３）の両側端部に上側面接合ファスナ（６）を下向きに取り付け、
前記カバー部材（３）の上側面接合ファスナ（６）を被挿入部（７）に挿入して、前記下側面接合ファスナ（５）と上側面接合ファスナ（６）とを接合する構成とし、
身体の挿入方向奥側の奥上側面接合ファスナ（６ａ）と奥下側面接合ファスナ（５ａ）に対して、身体の挿入する側の上半身に近い側の肩口上側面接合ファスナ（６ｂ）と肩口下側面接合ファスナ（５ｂ）の面積を広くした、
ことを特徴とする組立式サウナ。
【請求項２】
請求項１記載の組立式サウナにおいて、身体を挿入する側の上半身に近い側のベース部材（２）とカバー部材（３）とにおける下側面接合ファスナ（５）と上側面接合ファスナ（６）とは、両方とも雄側面ファスナ（２５・２５）として、両者を接合する構成としたことを特徴とする組立式サウナ。
【発明の詳細な説明】
【技術分野】
【０００１】
本発明は、非使用時には部屋の片隅や押入れ等に収納可能なように、組立式に構成された簡易サウナの構成に関するものである。
【背景技術】
【０００２】
特許文献１として提示した、特開２００４−１２１３０４号公報の図面図９に図示されているように、従来の組立式サウナにおいては、カバー部材の両側を、内側に折り曲げて、ベース部材の両側の下側に挿入して、ベース部材の下面に敷設した面ファスナの一方と、カバー部材の折り曲げ側の上面に敷設した面ファスナの他側とを、接着して固定していたのである。
【先行技術文献】
【特許文献】
【０００３】
【特許文献１】特開２００４−１２１３０４号公報
【発明の概要】
【発明が解決しようとする課題】
【０００４】
しかし、特許文献１である特開２００４−１２１３０４号公報に記載されている面ファスナによる締結構造では、次のような不具合があったのである。即ち、ベース部材の下側に、面ファスナの内側へ折り曲げた部分を挿入して、面ファスナ同士で結合する構成であるため、組立式サウナの中に入った使用者が、中で寝返りをうったり、左右上下に移動したりすると、組立式サウナとベース部材の間の位置がずれて、面ファスナが外れてしまうおそれがあったのである。
【０００５】
また、ベース部材の下面と、カバー部材の折り曲げ側の上面との間に面ファスナが敷設されているので、整合した位置で接合する必要があるため、面ファスナを完全に接合する作業を、慎重に行う必要があったのである。そこで、本発明は、ベース部材とカバー部材の間に敷設した面ファスナの脱着が簡単に行えて、かつ面ファスナの接着状態が人体の移動等によって簡単には外れることのない組立式サウナを提供するものである。
【課題を解決するための手段】
【０００６】
本発明が解決しようとする課題は以上の如くであり、次に該課題を解決するための手段を説明する。
【０００７】
請求項１においては、折り畳み自在に構成されたベース部材（２）と、前記ベース部材（２）の身体の挿入方向と直交する方向の両側端部に着脱自在に取り付けて、前記ベース部材（２）の上方をカバーするカバー部材（３）と、前記ベース部材（２）の身体の挿入方向奥側の端部と前記カバー部材（３）の身体の挿入方向奥側の端部とに着脱自在に取り付けて、前記ベース部材（２）とカバー部材（３）のとの間に形成される身体の挿入方向奥側の開口を塞ぐ閉鎖部材（４）と、を備えた組立式サウナ（１）であって、前記カバー部材（３）とベース部材（２）との連結部において、前記ベース部材（２）の下面に下側面接合ファスナ（５）を上向きに取り付け、前記ベース部材（２）と下側面接合ファスナ（５）との間に被挿入部（７）を設け、前記カバー部材（３）の両側端部に上側面接合ファスナ（６）を下向きに取り付け、前記カバー部材（３）の上側面接合ファスナ（６）を被挿入部（７）に挿入して、前記下側面接合ファスナ（５）と上側面接合ファスナ（６）とを接合する構成とし、身体の挿入方向奥側の奥上側面接合ファスナ（６ａ）と奥下側面接合ファスナ（５ａ）に対して、身体の挿入する側の上半身に近い側の肩口上側面接合ファスナ（６ｂ）と肩口下側面接合ファスナ（５ｂ）の面積を広くしたものである。
【０００８】
請求項２においては、請求項１記載の組立式サウナにおいて、身体を挿入する側の上半身に近い側のベース部材（２）とカバー部材（３）とにおける下側面接合ファスナ（５）と上側面接合ファスナ（６）とは、両方とも雄側面ファスナ（２５・２５）として、両者を接合する構成としたものである。
【発明の効果】
【０００９】
本発明は、以上の如く構成したので、次のような効果を奏するものである。
即ち、ベース部材とカバー部材の間に敷設した面ファスナの脱着が簡単に行えて、かつ面ファスナの接着状態が身体の移動等により簡単には外れることのない組立式サウナを構成することができたものである。
また、組立式サウナの肩口側の肩口カバー部材は、身体を挿入する場合に脱着する可能性が高いので、簡単に外すことができて、かつ係止した状態では、面ファスナがずれないように構成することが必要であるが、雄側面ファスナと雄側面ファスナとを接合することにより、この問題点を解消することができたものである。
【図面の簡単な説明】
【００１０】
【図１】組立式サウナの全体斜視図。
【図２】ベース部材の上に保温部材を載置し、人体の挿入方向の逆端を閉鎖する足元閉鎖部材４を立設した状態を示す斜視図。
【図３】ベース部材の上に保温部材を配置して、更にその上に電熱ゲルママットを載置し、ベース部材を組み立てている状態あ示す斜視図。
【図４】ベース部材における下側面接合ファスナの取付位置を示す平面図。
【図５】下側面接合ファスナと被挿入部の構成を示す側面断面図。
【図６】上側面接合ファスナの形状を示す平面図。
【図７】電熱ゲルママットの平面図。
【図８】カバー部材に敷設する上面電熱ヒータの連接状態を示す平面図。
【図９】カバー部材に上面電熱ヒータ１０を敷設した状態を示す平面図。
【図１０】面ファスナの側面断面図。
【図１１】下側面接合ファスナと上側面接合ファスナの側面断面図。
【図１２】（ａ）（ｂ）共に、肩口閉鎖部材の取付状態を示す図面。
【図１３】ベース部材とカバー部材との組立状態を示す斜視図。
【発明を実施するための形態】
【００１１】
図１、図２、図３において、組立式サウナ１の全体的な構成について説明する。組立式サウナ１においては、基本的にベース部材２と、該ベース部材２の上部を半円弧状または半筒状に被服するカバー部材３と、該カバー部材３の足元側を被覆する足元閉鎖部材４と、カバー部材３の肩口側を被覆する肩口閉鎖部材１１とにより、身体が挿入される組立式サウナ１が構成されている。
【００１２】
前記ベース部材２の側には、家屋の床側に接して載置されるベース部材２の上に、保温部材９が載置され、該保温部材９の上に電熱ゲルママット８が載置される。このように３枚のマットを積層配置することにより、床側からの冷気が電熱ゲルママット８に伝達されないように保温部材９が遮蔽する。前記ベース部材２、保温部材９、電熱ゲルママット８は、出荷時の梱包や、非使用時の収納スペースを小さくするために、４枚に折り畳みを可能とする構造としている。
【００１３】
最も下側に載置されるベース部材２の構造は、図４、図５、図６において図示されている。即ち、ベース部材２は、床面と反対側に、ゲルマニウム粉末を含有した合成樹脂フィルム製の上面板２ａが配置され、該上面板２ａの裏面には、合成皮革板２ｂが縫製接合されている。前記合成皮革板２ｂの下側には、被挿入部７を構成するための、挿入部下部板２ｃが中央側のみを縫製固定されて付設されている。
【００１４】
図４に示す如く、ベース部材２において、合成皮革板２ｂの下面に縫製固定される挿入部下部板２ｃは、身体の挿入方向の左右の両側にそれぞれ付設されて、挿入部下部板２ｃと合成皮革板２ｂとの間に、上側面接合ファスナ６を挿入可能な被挿入部７が構成されている。前記被挿入部７を構成する部分の下側、即ち、挿入部下部板２ｃの上側の面に、下側面接合ファスナ５が、縫製固定されている。
【００１５】
前記下側面接合ファスナ５は、奥下側面接合ファスナ５ａと肩口下側面接合ファスナ５ｂの２種類が設けられている。前記奥側下側面接合ファスナ５ａは、通常の使用時においては、頻繁に脱着することはないので、面積の狭い下側面接合ファスナ５に構成されている。肩口下側面接合ファスナ５ｂは、使用者が身体を挿入する際において、頻繁に脱着を行うので、接合部の面積の広い下側面接合ファスナ５としている。
【００１６】
従来の技術においては、上側面接合ファスナと下側面接合ファスナとの接合部は、下向きの上側面接合ファスナに対して、上向きに構成した下側面接合ファスナを接触させて接合する構成であった。
しかし、このような従来の下側面接合ファスナと上側面接合ファスナの接合状態では、身体が動いた場合や寝返りをした場合に、ベース部材２がずれることがあり、下側面接合ファスナと上側面接合ファスナの接合状態が外れるという不具合があったのである。
【００１７】
本発明においては、図１３において、組立状態を図示した如く、このような従来の下側面接合ファスナと上側面接合ファスナとの接合部の不確実な接合状態を解消するために、ベース部材２の下面で、合成皮革板２ｂと挿入部下部板２ｃとの間に、被挿入部７を構成し、該被挿入部７に、カバー部材３の側の上側面接合ファスナ６を挿入した状態で、上下の面で接合すべく構成したものである。
【００１８】
カバー部材３は、図９において図示されている。カバー部材３は、弾力性のある板状体により構成されており、合成樹脂板に電熱ヒータ１３を内側面に面ファスナにより固定する構造としている。前記電熱ヒータ１３は、図８において電熱ヒータ１３のみを取り出した状態で図示している。そして、カバー部材３は、肩口カバー部材３ａと、胴部カバー部材３ｂと、足部カバー部材３ｃに分割可能としているので、電熱ヒータ１３も、肩口電熱ヒータ１３ａと、胴部電熱ヒータ１３ｂと足部電熱ヒータ１３ｃの３部分に分割可能に構成されている。
【００１９】
前記カバー部材３は、肩口カバー部材３ａと胴部カバー部材３ｂと足部カバー部材３ｃに分割されており、組立収納が可能とされており、組み立てた状態で、組立式サウナ１の内部の熱気が容易に外部に漏れることのないように、肩口カバー部材３ａと胴部カバー部材３ｂの間、及び胴部カバー部材３ｂと足部カバー部材３ｃとの間においては、凹凸の重複可能部３ｄが構成されており、この重複可能部３ｄの部分で重複させて、内部の熱気の逃げ出しを阻止しているのである。
【００２０】
前記３つの部分である、肩口電熱ヒータ１３ａと胴部電熱ヒータ１３ｂと足部電熱ヒータ１３ｃを、電熱線１６で連結すると共に、電熱ヒータ１３への電力をＯＮ−ＯＦＦするコントロールボックス１４が設けられている。前記肩口電熱ヒータ１３ａと胴部電熱ヒータ１３ｂと足部電熱ヒータ１３ｃの３部分が、肩口カバー部材３ａと胴部カバー部材３ｂと足部カバー部材３ｃの内面側に付設されているのである。
【００２１】
そして、上側面接合ファスナ６は、図９に示すように、カバー部材３において、電熱ヒータ１３を接合した側とは逆の側の面に、奥上側面接合ファスナ６ａと肩口上側面接合ファスナ６ｂとが縫合して付設されて構成されている。そして、図５、図１３に示すように、カバー部材３の両側端部の下側に付設されている上側面接合ファスナ６が、ベース部材２の左右の両側において、合成皮革板２ｂと挿入部下部板２ｃの間で構成されている被挿入部７の内部に挿入されるのである。前記ベース部材２を構成する合成皮革板２ｂと挿入部下部板２ｃとの間の被挿入部７を、ユーザーが手を挿入することにより、図１３に示すように、開いた状態にして、カバー部材３の左右両側の上側面接合ファスナ６・６を、該開いた状態とした被挿入部７の間に挿入し、上側面接合ファスナ６と下側面接合ファスナ５とを接合した後に、被挿入部７を閉じるのである。
【００２２】
このカバー部材３の端部が挿入された状態において、カバー部材３の側の上側面接合ファスナ６は、下向きの面であり、ベース部材２の側の下側面接合ファスナ５は、上向きの面となっているのである。このような上下の状態に配置されているので、カバー部材３の上側面接合ファスナ６を被挿入部７に挿入しやすく、該上側面接合ファスナ６の部分を挿入した状態で、下側面接合ファスナ５の上面に密着接合させる作業に容易にできるのである。
【００２３】
足元閉鎖部材４は、カバー部材３の足元側のドーム形状部分を閉鎖するものであり、半円板状に構成されている。前記足元閉鎖部材４に、足元閉鎖部材側接合ファスナ１８を設け、カバー部材３の下面にも、足元閉鎖部材側のカバー部材側接合ファスナ１７を設けて、両者を接合して、下側を固定し、上側は３箇所に設けた、足元垂直面接合ファスナ１９により固定している。
【００２４】
図７において、ベース部材２と保温部材９の上に載置する電熱ゲルママット８の構成について説明する。電熱ゲルママット８は、塩ビシートを２枚重ねて内部にフェルト材を挟持させ、該上下の塩ビシートとフェルト材の間に、電熱ヒータ線を収納して縫合している。前記電熱ゲルママット８の電熱ヒータ線への電力のＯＮ−ＯＦＦを可能とするコントロールボックス１２が設けられている。
【００２５】
前記カバー部材３の側の電熱ヒータ１３のコントロールボックス１４とは別に、ベース部材２の側に敷設する電熱ゲルママット８にもコントロールボックス１２が設けられており、両方とも加熱する場合と、一方のみの加熱を行う場合の切り換えが可能に構成されている。
【００２６】
次に、図１２（ａ）（ｂ）において、肩口閉鎖部材１１の取付状態を説明する。肩口閉鎖部材１１は、カバー部材３とは別の布体により構成されており、肩口カバー部材３ａの肩口側に設けられた、肩口閉鎖部材１１の挟持弾性帯１５に上部を挿入して挟みこんで、係止固定すべく構成している。更に、前記肩口閉鎖部材１１は、中央部が分割されており、身体が組立式サウナ１の内部に入る際において、左右に開いて入り易いように構成されている。
【００２７】
次に、肩口上側面接合ファスナ６ｂと肩口下側面接合ファスナ５ｂの構成について説明する。肩口上側面接合ファスナ６ｂと肩口下側面接合ファスナ５ｂの配置される組立式サウナ１の肩口部分は、身体を挿入する際に、余裕のある姿勢で入って行けるように、肩口カバー部材３ａの一方を外す回数が多いのである。この場合において、組立式サウナ１を構成する胴部カバー部材３ｂや足部カバー部材３ｃと、ベース部材２との間の、奥上側面接合ファスナ６ａと奥下側面接合ファスナ５ａのように、接合状態の維持を主体とした面ファスナとすると、脱着が面倒となるのである。
【００２８】
面ファスナは、図１０に示すように、雄側面ファスナ２５と雌側面ファスナ２０とが向き合って接触されることにより、係止状態となり、この係止状態が外れない状態となるのである。それに対し、肩口カバー部材３ａの側の肩口上側面接合ファスナ６ｂと肩口下側面接合ファスナ５ｂとの脱着は、係止した状態では、簡単に両者がずれることはないが、取り外す場合には、取り外しに要する外し力が、図１０の面ファスナの取り外し力より軽くなるように、雄側面ファスナ２５と雄側面ファスナ２５とを向かい合わせた雄−雄タイプの面ファスナに構成したものである。また、奥上側面接合ファスナ６ａと奥下側面接合ファスナ５ａに対して、肩口上側面接合ファスナ６ｂと肩口下側面接合ファスナ５ｂの面積を広くして、上記の効果をより発揮するように構成しているのである。これにより、肩口上側面接合ファスナ６ｂと肩口下側面接合ファスナ５ｂとは接合状態では、左右にずれにくく、外す場合には、雄側面ファスナ２５と雄側面ファスナ２５同士の外し作業であるので、外し力を小さく構成することができるのである。
【００２９】
なお、前記ベース部材２の上面を構成する上面板２ａにゲルマニウム粉末を包含させたゲルマニウム面材に構成したが、保温部材９や、電熱ゲルママット８や、カバー部材３の塩ビシートの部分に、ゲルマニウム粉末を包含させて、組立式サウナ１の全体にゲルマニウム粉末の健康効果が及ぶように構成することもできるのである。
【符号の説明】
【００３０】
１  組立式サウナ
２  ベース部材
３  カバー部材
４  足元閉鎖部材
５  下側面接合ファスナ
６  上側面接合ファスナ
７  被挿入部
８  電熱ゲルママット
９  保温部材
１０  上面電熱ヒータ
１１  肩口閉鎖部材
１２  コントロールボックス
１３  電熱ヒータ
１４  コントロールボックス
１５  挟持弾性帯
１６  電熱線
１７  カバー部材側接合ファスナ
１８  足元閉鎖部材側接合ファスナ
１９  足元垂直面接合ファスナ
２５  雄側面ファスナ
【図１】
0006726530.tif 000002
【図２】
0006726530.tif 000003
【図３】
0006726530.tif 000004
【図４】
0006726530.tif 000005
【図５】
0006726530.tif 000006
【図６】
0006726530.tif 000007
【図７】
0006726530.tif 000008
【図８】
0006726530.tif 000009
【図９】
0006726530.tif 000010
【図１０】
0006726530.tif 000011
【図１１】
0006726530.tif 000012
【図１２】
0006726530.tif 000013
【図１３】
0006726530.tif 000014